(57)【要約】【課題】基礎の上方に横架材が設けられている構成において横架材の撓みを好適に抑制する。【解決手段】ユニット式建物において、建物ユニット１０が基礎３１上に載置されており、建物ユニット１０の床大梁１３と基礎３１との間には通気用隙間３３が形成されている。建物ユニット１０の床大梁１３と天井大梁１２との間には制振装置２０が設けられており、床大梁１３における制振装置２０の設置部分の下方には、床大梁１３と基礎３１とを連結する第１連結ブラケット５１及び第２連結ブラケットが設けられている。第１連結ブラケット５１は、基礎３１の側面に沿って延びている側面板部と、床大梁１３の下側フランジの下面に沿って延びている梁側板部とを有している。側面板部は基礎３１に対してボルト固定されており、梁側板部は床大梁１３に対してボルト固定されている。【選択図】図１
2011047216.tif 000002
【特許請求の範囲】
【請求項１】
基礎の上方に該基礎に沿って横架材が設けられている建物に適用され、
前記基礎と前記横架材とが第１連結部材により連結されている基礎連結構造であって、
前記第１連結部材は、前記基礎の上方において前記横架材の側面及び下面の少なくとも一方に固定されている第１横架材固定部と、前記基礎の側面に固定されている第１基礎固定部とを有していることを特徴とする基礎連結構造。
【請求項２】
前記基礎と前記横架材との間に該横架材に沿って延びるように通気用隙間が形成されており、
前記第１連結部材の前記第１横架材固定部は、前記通気用隙間に挿入され且つ前記横架材の下面に固定されていることを特徴とする請求項１に記載の基礎連結構造。
【請求項３】
前記横架材は、対向する一対のフランジが上下に位置するように設けられた形鋼であり、
前記一対のフランジのうち下側フランジには貫通孔が形成され、該貫通孔と前記第１横架材固定部に設けられたネジ孔とに前記形鋼の溝部側からネジ部材が締結されて前記第１横架材固定部が前記横架材に対して固定されていることを特徴とする請求項２に記載の基礎連結構造。
【請求項４】
前記第１連結部材の第１横架材固定部の上方において前記横架材の少なくとも一部に対して上から固定されている第２横架材固定部と、前記基礎の側面に固定されている第２基礎固定部とを有する第２連結部材を備えていることを特徴とする請求項２又は３に記載の基礎連結構造。
【請求項５】
前記基礎にはその厚み方向に貫通する基礎貫通孔が形成され、前記第１連結部材及び前記第２連結部材の各横架材固定部は、前記基礎を挟んで反対側に配置されているとともに、前記基礎貫通孔に挿通させて設けられる固定具にてそれぞれ固定されていることを特徴とする請求項４に記載の基礎連結構造。
【請求項６】
前記横架材と前記第２横架材固定部とには貫通孔が形成され、これらの貫通孔と前記第１横架材固定部に設けられたネジ孔とに前記第２横架材固定部側からネジ部材が締結されて、前記第１連結部材及び前記第２連結部材の各横架材固定部が前記横架材に対して固定されていることを特徴とする請求項４又は５に記載の基礎連結構造。
【請求項７】
前記横架材は、対向する一対のフランジが上下に位置するように設けられた形鋼であり、
前記一対のフランジの間にはフランジ間部材が設けられており、
前記第２横架材固定部は、前記フランジ間部材の少なくとも一部の上面に当接するように、前記一対のフランジのうち下側フランジに対して上方から設けられていることを特徴とする請求項４乃至６のいずれか１項に記載の基礎連結構造。
【請求項８】
請求項１乃至７のいずれか一項に記載の基礎連結構造と、前記横架材に対する天井部分の相対変位を抑制するための制振装置とを備える建物であって、
前記制振装置は、前記横架材と前記天井部分との間に掛け渡して設けられており、
前記横架材において前記制振装置との連結部分に前記第１連結部材が設けられていることを特徴とする建物。
【請求項９】
床梁材、天井梁材及び柱材からなる建物ユニットを備え、前記横架材としての床梁材に沿ってその下方に通気用隙間が形成されるように前記建物ユニットが前記基礎上に設置されているユニット式建物に適用され、
前記床梁材において、その両端を支持固定する一対の前記柱材の間の中間位置に、前記制振装置と前記第１連結部材とが設けられていることを特徴とする請求項８に記載の建物。
【発明の詳細な説明】
【技術分野】
【０００１】
本発明は、基礎連結構造及びそれを備えた建物に関するものである。
【背景技術】
【０００２】
住宅等の建物において、建物の基礎と、その基礎の上方に設けられている床梁等の横架材とを連結部材により連結する技術が提案されている。例えば特許文献１には、基礎の上に載置された横架材としての土台が基礎の上面に当接しているとともに、基礎の側面に対して固定された金具本体が土台の上面及び両側面に当接している構成が記載されている。この構成によれば、土台が上下方向や水平方向に撓むことを基礎や金具本体により抑制できる。
【先行技術文献】
【特許文献】
【０００３】
【特許文献１】特開２００８−１２１２３４号公報
【発明の概要】
【発明が解決しようとする課題】
【０００４】
ところで、近年の建物では、床下換気構造として基礎の上面とその上方の土台等の横架材との間に通気用の隙間を設け、その隙間により全周換気を行わせるようにしたものが実用化されている。こうした全周換気構造を有する建物に前記特許文献１を適用する場合、通気用の隙間に起因して横架材が撓むおそれがある。したがって、横架材の撓みを抑制する構成に関して改善の余地がある。
【０００５】
本発明は、基礎の上方に横架材が設けられている構成において横架材の撓みを好適に抑制することを主たる目的とする。
【課題を解決するための手段】
【０００６】
上記課題を解決するために、第１の発明は、基礎の上方に該基礎に沿って横架材が設けられている建物に適用され、前記基礎と前記横架材とが第１連結部材により連結されている基礎連結構造であって、前記第１連結部材は、前記基礎の上方において前記横架材の側面及び下面の少なくとも一方に固定されている第１横架材固定部と、前記基礎の側面に固定されている第１基礎固定部とを有していることを特徴とする。
【０００７】
第１の発明によれば、第１連結部材が横架材及び基礎のそれぞれに対して直接固定されている。この場合、横架材と基礎とが第１連結部材により一体に結合されていることになるため、横架材と第１連結部材や基礎との間に隙間が存在していても、第１連結部材による連結部分において横架材が基礎に対して相対的に変位することを抑制できる。つまり、横架材に対して荷重が加えられた場合でもその横架材が上下方向や水平方向に撓むことを抑制できる。
【０００８】
第２の発明では、前記基礎と前記横架材との間に該横架材に沿って延びるように通気用隙間が形成されており、前記第１連結部材の前記第１横架材固定部は、前記通気用隙間に挿入され且つ前記横架材の下面に固定されている。
【０００９】
第２の発明によれば、通気用隙間に第１横架材固定部が挿入されているため、第１横架材固定部が基礎の上面及び横架材の下面に当接することにより、横架材が下方へ撓むことがより確実に抑制される。特に、通気用隙間の上方において横架材上に構造体又はその付設物（制振装置等）が設置され、それらから横架材が下向きの力を受ける場合において、通気用隙間に第１横架材固定部が挿入されていることは横架材の下方への撓みを抑制する上で効果的である。
【００１０】
なお、第１連結部材は、横架材の下面に固定される第１横架材固定部と、基礎の側面に固定される第１基礎固定部とを有する構成であり、その取り付けに際しては、第１横架材固定部を通気用隙間に挿入し固定する作業や、第１基礎固定部を基礎に固定する作業といった容易な作業を行えばよく、建物の完成後にリフォーム等を行う場合であっても後付けでの第１連結部材の取り付け作業が容易となる。
【００１１】
第３の発明では、前記横架材は、対向する一対のフランジが上下に位置するように設けられた形鋼であり、前記一対のフランジのうち下側フランジには貫通孔が形成され、該貫通孔と前記第１横架材固定部に設けられたネジ孔とに前記形鋼の溝部側からネジ部材が締結されて前記第１横架材固定部が前記横架材に対して固定されている。
【００１２】
第３の発明によれば、横架材としての形鋼に対する第１連結部材の固定を容易に行うことができ、基礎連結構造として好適なる構成を実現できる。
【００１３】
第４の発明では、前記第１連結部材の第１横架材固定部の上方において前記横架材の少なくとも一部に対して上から固定されている第２横架材固定部と、前記基礎の側面に固定されている第２基礎固定部とを有する第２連結部材を備えている。
【００１４】
第４の発明によれば、第２連結部材が横架材及び基礎のそれぞれに対して直接固定されており、第２連結部材の第２横架材固定部が横架材に対して上方から設けられているため、横架材の上方への撓みを抑制する効果を高めることができる。ちなみに、第１連結部材と同様に、建物の完成後であっても後付けでの第２連結部材の取り付け作業が容易となる。
【００１５】
なお、前記第２基礎固定部は、前記基礎において前記第１基礎固定部とは反対側の側面に対して設けられていることが好ましい。この場合、横架材が基礎の両側面に対して一体に結合されることになるため、第１連結部材及び第２連結部材を介して基礎に伝わる荷重を分散させることが可能となる。すなわち、横架材に加わる力が基礎の一部に集中することを抑制できる。
【００１６】
第５の発明では、前記基礎にはその厚み方向に貫通する基礎貫通孔が形成され、前記第１連結部材及び前記第２連結部材の各横架材固定部は、前記基礎を挟んで反対側に配置されているとともに、前記基礎貫通孔に挿通させて設けられる固定具にてそれぞれ固定されている。
【００１７】
第５の発明によれば、第１連結部材及び第２連結部材の各横架材固定部を１つの固定具により基礎の側面に対してまとめて固定することができる。したがって、各連結部材を基礎に対して別々の固定具により固定する構成に比べて、それら連結部材を基礎に対して固定する構成を簡易化することができる。
【００１８】
第６の発明では、前記横架材と前記第２横架材固定部とには貫通孔が形成され、これらの貫通孔と前記第１横架材固定部に設けられたネジ孔とに前記第２横架材固定部側からネジ部材が締結されて、前記第１連結部材及び前記第２連結部材の各横架材固定部が前記横架材に対して固定されている。
【００１９】
第６の発明によれば、横架材に対する第１連結部材及び第２連結部材の固定を容易に行うことができ、基礎連結構造として好適なる構成を実現できる。しかも、各連結部材を横架材に対して別々のネジ部材により固定する構成に比べて、それら連結部材を横架材に対して固定する構成を簡易化することができる。
【００２０】
第７の発明では、前記横架材は、対向する一対のフランジが上下に位置するように設けられた形鋼であり、前記一対のフランジの間にはフランジ間部材が設けられており、前記第２横架材固定部は、前記フランジ間部材の少なくとも一部の上面に当接するように、前記一対のフランジのうち下側フランジに対して上方から設けられている。
【００２１】
第７の発明によれば、横架材としての形鋼の溝部が上下に潰れることをフランジ間部材により抑制できる構成において、フランジ間部材の少なくとも一部が形鋼の下側フランジと第２横架材固定部とにより狭持されていることになる。したがって、例えばフランジ間部材を横架材に対して溶接しなくても、フランジ間部材が横架材から離脱することを抑制できる。
【００２２】
第８の発明は、第１乃至８のいずれかの発明に記載の基礎連結構造と、前記横架材に対する天井部分の相対変位を抑制するための制振装置とを備える建物であって、前記制振装置は、前記横架材と前記天井部分との間に掛け渡して設けられており、前記横架材において前記制振装置との連結部分に前記第１連結部材が設けられていることを特徴とする。
【００２３】
第８の発明によれば、制振装置及び第１連結部材により基礎に対する天井部分の相対的な揺れが抑制される構成において、横架材における制振装置との連結部分が上下方向や水平方向に変位することを抑制できる。この場合、基礎に対する制振装置の相対的な揺れが抑制されるため、制振装置に基礎を基準とした制振効果を発揮させることができる。
【００２４】
第９の発明では、床梁材、天井梁材及び柱材からなる建物ユニットを備え、前記横架材としての床梁材に沿ってその下方に通気用隙間が形成されるように前記建物ユニットが前記基礎上に設置されているユニット式建物に適用され、前記床梁材において、その両端を支持固定する一対の前記柱材の間の中間位置に、前記制振装置と前記第１連結部材とが設けられている。
【００２５】
第９の発明によれば、ユニット式建物において、横架材としての床梁材における制振装置との連結部分が横架材の長手方向に直交する方向（上下方向や水平方向）に撓むことを抑制しつつ、制振装置に基礎を基準とした制振効果を発揮させることができる。
【図面の簡単な説明】
【００２６】
【図１】本実施形態における制振装置周辺の建物ユニットの正面図。
【図２】床大梁と基礎との連結構造を示す断面図。
【図３】床大梁と基礎との連結構造を示す斜視図。
【図４】建物ユニットに生じる振動エネルギについて説明するための図。
【図５】建物ユニットの構成を示す斜視図。
【図６】床大梁と基礎との連結構造の別例を示す斜視図。
【図７】床大梁と基礎との連結構造の別例を示す断面図。
【発明を実施するための形態】
【００２７】
以下、本発明を具体化した一実施形態を図面に基づいて説明する。本実施形態では、複数の建物ユニットが結合されてなるユニット式建物について具体化している。まず、建物ユニットの構成について図５を参照しつつ説明する。図５は建物ユニット１０の構成を示す斜視図である。
【００２８】
図５に示すように、建物ユニット１０において、その四隅には柱１１が配され、各柱１１の上端部及び下端部がそれぞれ４本の天井大梁１２、床大梁１３により連結されている。そして、それら柱１１、天井大梁１２及び床大梁１３により直方体状の骨格（フレーム）が形成されている。柱１１は四角筒状の角形鋼よりなる。また、天井大梁１２及び床大梁１３は断面コ字状の溝形鋼よりなり、その開口部が向き合うようにして設置されている。
【００２９】
平面視で建物ユニット１０の長辺部の相対する天井大梁１２の間には、所定間隔で複数の天井小梁１５が架け渡されている。同じく平面視で建物ユニット１０の長辺部の相対する床大梁１３の間には、所定間隔で複数の床小梁１６が架け渡されている。天井小梁１５と床小梁１６とはそれぞれ同間隔でかつ各々上下に対応する位置に互いに平行に設けられている。
【００３０】
建物ユニット１０において隣り合う柱１１の間の中間位置には、床大梁１３に対する天井大梁１２の相対的な揺れを抑制する制振装置２０が設けられている。ここでは、制振装置２０の構成について図１を参照しつつ説明する。図１は制振装置２０周辺の建物ユニット１０の正面図である。なお、図１には建物ユニット１０を外周側から見た図を示している。
【００３１】
図１に示すように、制振装置２０は天井大梁１２と床大梁１３との間に設けられており、床大梁１３に固定されている床側フレーム２２と、天井大梁１２に固定されている天井側フレーム２３と、それらフレーム２２,２３の間に設けられている減衰ダンパ２４とを有している。床側フレーム２２は、床大梁１３上に設置された長尺状の柱部材２２ａ,２２ｂを有しており、柱部材２２ａ,２２ｂの各上端部は天井大梁１２とは離間している。柱部材２２ａ,２２ｂは、床大梁１３の長手方向においてそれぞれの下端部は互いに離間しているが、それぞれの上端部は溶接等により互いに接続されている。この場合、床側フレーム２２においては床大梁１３に対する相対的な揺れが生じにくくなっている。
【００３２】
天井側フレーム２３は短尺状に形成されており、天井側フレーム２３においては天井大梁１２に対する相対的な揺れが生じにくくなっている。
【００３３】
床側フレーム２２の上端部及び天井側フレーム２３の下端部にはダンパ受部２５，２６がそれぞれ設けられており、それらダンパ受部２５，２６により、両端が回転可能な状態で減衰ダンパ２４が取り付けられている。減衰ダンパ２４は、シリンダ２４ａと、少なくとも一部がシリンダ２４ａ内で摺動するロッド２４ｂとを有しており、作動油が充填された油室を備える油圧式のダンパである。シリンダ２４ａは床側フレーム２２のダンパ受部２５に接続されており、ロッド２４ｂは天井側フレーム２３のダンパ受部２６に接続されている。この場合、減衰ダンパ２４は略水平方向に伸縮するようになっている。
【００３４】
ところで、ユニット式建物において一階部分の建物ユニット１０は基礎３１上に載置されており、一階部分の床下には基礎３１に囲まれた床下空間３２（図２参照）が形成されている。横架材としての床大梁１３と基礎３１の上端とは離間しており、その離間部分を通じて床下空間３２の通気が行われる。この場合、基礎３１と床大梁１３との離間部分が通気用隙間３３となっており、通気用隙間３３は床大梁１３に沿って延びるようにして形成されている。通気用隙間３３はユニット式建物の略全周にわたって形成されており、一階部分の床下空間を対象としたいわゆる床下全周換気が行われる。
【００３５】
なお、建物ユニット１０の柱１１の下端部には、建物ユニット１０の設置に伴って柱１１と基礎３１とに挟まれる下端プレート３５が取り付けられている。下端プレート３５の周縁部は柱１１の周面よりも外側に張り出した張り出し部分となっており、その張り出し部分の上面に床大梁１３の端部が載置された状態となっている。この場合、下端プレート３５の張り出し部分が基礎３１と床大梁１３とを離間させるためのスペーサとなっている。ちなみに、通気用隙間３３の上下寸法は１３ｍｍ程度である。
【００３６】
上記のように、建物ユニット１０に制振装置２０が設けられている場合、地震や暴風等による揺れ発生時において、基礎３１に対する床大梁１３の揺れが生じることに起因して、制振装置２０による制振効果が低下することが懸念される。つまり、建物ユニット１０全体が基礎３１に対して相対的に揺れることが懸念される。また、床大梁１３の下方に通気用隙間３３が形成されている場合、制振装置２０の設置部分において床大梁１３が下方に撓み変形することが懸念される。
【００３７】
そこで、本実施形態では、制振装置２０の設置部分の下方に、床大梁１３と基礎３１とを連結する第１連結部材としての第１連結ブラケット５１が設けられており、この第１連結ブラケット５１により、基礎３１に対する床大梁１３の相対的な揺れや、床大梁１３の上下方向や水平方向への変位や変形が抑制されるようになっている。
【００３８】
以下に、床大梁１３と基礎３１とを連結する連結構造について図２及び図３を参照しつつ説明する。ここで、連結構造は、床大梁１３において制振装置２０の柱部材２２ａの設置部分と柱部材２２ｂの設置部分とで同一の構成となっている。したがって、ここでは柱部材２２ａの設置部分について説明する。図２は床大梁１３と基礎３１との連結構造を示す断面図、図３は床大梁１３と基礎３１との連結構造を示す斜視図である。
【００３９】
図２及び図３に示すように、基礎３１は、地中に埋設されたフーチング部３７と、フーチング部３７から上方に起立した立ち上がり部としての起立部３８とを有しており、床下空間３２と屋外空間とが起立部３８により仕切られている。床大梁１３は通気用隙間３３を挟んで起立部３８の上方に設置されており、上下方向に延びるウェブ４３と、ウェブ４３の上端に設けられている上側フランジ４４ａと、ウェブ４３の下端に設けられている下側フランジ４４ｂとを有している。床大梁１３においてはフランジ４４ａ，４４ｂ及びウェブ４３により溝部が形成されており、その溝部は屋内側へ開放されている。この場合、ウェブ４３が屋外側に配置されていることになる。
【００４０】
制振装置２０の床側フレーム２２の下方において、床大梁１３の溝部内にはフランジ間部材としての梁内ブラケット４６が設けられている。図３に示すように、梁内ブラケット４６は金属製の板材が複数組み合わされてそれら板材が溶接等により一体化されることで形成されており、床大梁１３のフランジ４４ａ,４４ｂにそれぞれ当接する一対の当接板部４７ａ，４７ｂと、それら当接板部４７ａ，４７ｂの間に設けられる中間板部４８とを有している。当接板部４７ａ，４７ｂは略長方形状に形成されており、長手方向の長さ寸法は床側フレーム２２の幅寸法と同じ又はそれよりある程度大きくなっている。中間板部４８は当接板部４７ａ，４７ｂの間にてそれら当接板部４７ａ，４７ｂと直交する方向に延びており、所定間隔にて平行に複数設けられている。梁内ブラケット４６は、一対の当接板部４７ａ，４７ｂが上下に配置された状態でフランジ４４ａ，４４ｂの間に設けられており、中間板部４８は当接板部４７ａ，４７ｂを当接状態で保持している。
【００４１】
図２に示すように、床大梁１３と基礎３１とは第１連結ブラケット５１及び第２連結ブラケット５２により連結されている。連結ブラケット５１，５２は、金属材料により形成された板部材が厚み方向に折り曲げられることで略Ｌ字状にそれぞれ形成されている。
【００４２】
第１連結ブラケット５１は、起立部３８の一側面に沿って延びている側面板部５１ａと、床大梁１３の下側フランジ４４ｂの下面に沿って延びている梁側板部５１ｂとを有している。側面板部５１ａは起立部３８の屋外側に配置されており、梁側板部５１ｂは屋外側から通気用隙間３３に挿入されている。梁側板部５１ｂにおいて、板厚は通気用隙間３３の高さ寸法と同じ又はそれより若干小さくなっており、板幅は制振装置２０の床側フレーム２２の幅寸法と同じ又はそれよりある程度大きくなっている。
【００４３】
第２連結ブラケット５２は、起立部３８における側面板部５１ａとは反対側の側面に沿って延びている側面板部５２ａと、床大梁１３の溝部内において梁内ブラケット４６の下側の当接板部４７ｂに沿って延びている梁側板部５２ｂとを有している。側面板部５２ａは起立部３８の床下空間３２側に配置されており、梁側板部５２ｂは床下空間３２側から床大梁１３の溝部内に入り込んでいる。この場合、各連結ブラケット５１，５２の梁側板部５１ｂ，５２ｂが床大梁１３の下側フランジ４４ｂ及び梁内ブラケット４６の下側の当接板部４７ｂを上下から挟んだ状態となっている。
【００４４】
なお、第１連結ブラケット５１においては、側面板部５１ａが第１横架材固定部に相当し、梁側板部５１ｂが第１基礎固定部に相当する。また、第２連結ブラケット５２においては、側面板部５２ａが第２横架材固定部に相当し、梁側板部５２ｂが第２基礎固定部に相当する。
【００４５】
ちなみに、第２連結ブラケット５２の梁側板部５２ｂには、梁内ブラケット４６の中間板部４８に合わせて切り欠き部５４が形成されている（図３参照）。これにより、当接板部４７ａ，４７ｂの板面中央に中間板部４８が配置されていても、梁側板部５２ｂを下側の当接板部４７ｂ上に重ねることができる。
【００４６】
基礎３１の上方において、梁側板部５１ｂ，５２ｂ、下側フランジ４４ｂ、下側の当接板部４７ｂには、それらが上下に重なっている部分を上下方向に貫通するボルト孔５７がそれぞれ形成されており、それら一組のボルト孔５７は上下に通じている。最下部となる梁側板部５１ｂのボルト孔５７内には雌ネジ部が形成されており、最上位となる梁側板部５２ｂ側から各ボルト孔５７に挿入されたネジ部材としてのボルト５８が前記雌ネジ部に螺着されている。この場合、ボルト５８による共締めが行われていることになり、床大梁１３及び梁内ブラケット４６が第１連結ブラケット５１及び第２連結ブラケット５２に対してまとめて固定されている。それと同時に、梁内ブラケット４６が下側フランジ４４ｂに対して固定されている。また、ボルト固定が行われることにより、第１連結ブラケット５１の梁側板部５１ｂは床大梁１３の下面に当接することになる。
【００４７】
ちなみに、第１連結ブラケット５１の梁側板部５１ｂに形成されたボルト孔５７がネジ孔に相当し、第２連結ブラケット５２の梁側板部５１ｂ及び下側フランジ４４ｂに形成された各ボルト孔５７は貫通孔に相当する。
【００４８】
なお、ボルト孔５７は、梁側板部５１ｂ，５２ｂ、下側フランジ４４ｂ、下側の当接板部４７ｂに対して複数組み形成されており、各組のボルト孔５７に挿入されたそれぞれのボルト５８が連結ブラケット５１，５２に対して床大梁１３及び梁内ブラケット４６を固定していることになる。
【００４９】
第１連結ブラケット５１の側面板部５１ａと第２連結ブラケット５２の側面板部５２ａとは基礎３１の起立部３８の両側面に対してそれぞれ固定されている。側面板部５１ａ，５２ａ及び起立部３８には、それらが左右に重なっている部分を水平方向に貫通するボルト孔６１がそれぞれ形成されており、それら一組のボルト孔６１は水平方向に通じている。各ボルト孔６１には側面板部５１ａ側からボルト６２が挿入されており、反対の側面板部５２ａ側にてボルト６２にナット６３が螺着されている。この場合、ボルト６２による共締めが行われていることになり、第１連結ブラケット５１及び第２連結ブラケット５２が基礎３１に対してまとめて固定されている。また、ボルト固定が行われることにより、連結ブラケット５１，５２の側面板部５１ａ，５２ａは基礎３１の起立部３８の側面と当接することになる。
【００５０】
なお、ボルト孔６１は、側面板部５１ａ，５２ａ及び起立部３８に対して複数組み形成されており、各組のボルト孔６１に挿入されたそれぞれのボルト６２が基礎３１に対して連結ブラケット５１，５２を固定していることになる。また、基礎３１の起立部３８に形成されたボルト孔６１が基礎貫通孔に相当する。
【００５１】
ちなみに、制振装置２０の床側フレーム２２は床大梁１３の上側フランジ４４ａに対してボルト固定されている。具体的には、床側フレーム２２において柱部材２２ａ，２２ｂの各下端部には、制振装置２０の設置に伴って柱部材２２ａ，２２ｂと上側フランジ４４ａとの間に挟まれる固定用プレート７１が溶接等により固定されている。この場合、固定用プレート７１と床大梁１３の上側フランジ４４ａと梁内ブラケット４６の上側の当接板部４７ａとは上下に重なっており、それらには上下方向に貫通し且つ上下に連なるようにボルト孔７３がそれぞれ形成されている。そして、それらボルト７４に挿入されたボルト７４にウェルドナット７５が締結されることにより、床側フレーム２２が床大梁１３に対して固定されている。また、それと同時に、梁内ブラケット４６が上側フランジ４４ａに対して固定されている。
【００５２】
なお、図示の都合上、図３においてはボルト５８，６２，７４やナット６３の図示を省略している。
【００５３】
次に、地震等により揺れが生じた場合に床大梁１３に加えられる荷重について図２及び図４を参照しつつ説明する。図４は建物ユニット１０に生じる振動エネルギについて説明するための図である。
【００５４】
図４（ａ）に示すように、揺れに伴う建物ユニット１０の変形により天井大梁１２に図の左向きの変形力が加えられ、床大梁１３に対して天井大梁１２が相対的に左方に移動した場合、それに伴って減衰ダンパ２４においてロッド２４ｂがシリンダ２４ａ内に入り込み、ロッド長が縮むことで振動が減衰される。この場合、制振装置２０において、天井大梁１２の移動方向に並んで設けられている柱部材２２ａ，２２ｂのうち左の柱部材２２ａでは下向きの力が生じ、右の柱部材２２ｂでは上向きの力が生じる。つまり、床大梁１３において左の柱部材２２ａとの連結部分には下向きに荷重が加わり、右の柱部材２２ｂとの連結部分には上向きに荷重が加わる。
【００５５】
また、図４（ｂ）に示すように、床大梁１３に対して天井大梁１２が相対的に右方に移動した場合、床大梁１３において左の柱部材２２ａとの連結部分には上向きに荷重が加わり、右の柱部材２２ｂとの連結部分には下向きに荷重が加わる。
【００５６】
床大梁１３において柱部材２２ａ，２２ｂとの連結部分に上向き又は下向きの力が加えられた場合の連結ブラケット５１，５２の作用について、図２を参照しつつ説明する。なお、柱部材２２ａ，２２ｂにおいては同じ作用となるため、床大梁１３における柱部材２２ａとの連結部分について説明する。
【００５７】
柱部材２２ａから床大梁１３に対して下向きの力が加えられた場合、床大梁１３の溝部内において梁内ブラケット４６が上側フランジ４４ａ及び下側フランジ４４ｂの両方に当接することにより、上側フランジ４４ａが下方へ凹むことが抑制される。つまり、床大梁１３の溝部が潰れることが抑制される。また、通気用隙間３３において第１連結ブラケット５１の梁側板部５１ｂが下側フランジ４４ｂ及び基礎３１の起立部３８の両方に当接することにより、床大梁１３が下方へ撓むことが抑制される。
【００５８】
一方、柱部材２２ａから床大梁１３に対して上向きの力が加えられた場合、床大梁１３の上側フランジ４４ａと下側フランジ４４ｂとが梁内ブラケット４６により接続されているため、上側フランジ４４ａが上方へ向けて曲がることが抑制される。つまり、床大梁１３の溝部が拡張することが抑制される。また、床大梁１３の下側フランジ４４ｂと基礎３１の起立部３８とが第１連結ブラケット５１により連結されているため、床大梁１３が上方へ撓むことが抑制される。さらに、床大梁１３の溝部内において第２連結ブラケット５２の梁側板部５２ｂが床大梁１３の下側フランジ４４ｂの上面に当接することによっても、床大梁１３が上方へ撓むことが抑制される。
【００５９】
以上詳述した本実施形態によれば、以下の優れた効果が得られる。
【００６０】
床大梁１３と基礎３１とを連結する第１連結ブラケット５１が床大梁１３及び基礎３１のそれぞれに対してボルト５８，６２により直接固定されている。この場合、床大梁１３と基礎３１とは一体的に結合されているため、制振装置２０から床大梁１３に力が加えられたとしても、床大梁１３が基礎３１に対して相対的に上下方向や水平方向に撓むことを抑制できる。
【００６１】
第１連結ブラケット５１は床大梁１３に対してボルト固定されているため、それら第１連結ブラケット５１と床大梁１３とを固定する構成の簡易化を図ることができる。さらに言うと、第１連結ブラケット５１に加えて第２連結ブラケット５２が床大梁１３に対してボルト５８によりまとめて固定されているため、連結ブラケット５１，５２を床大梁１３に連結する構成の簡易化を図ることができる。また、例えば溶接により連結ブラケット５１，５２が固定されている構成では、溶接作業に際して第１連結ブラケット５１や床大梁１３などを加熱することになるが、これは既存のユニット式建物においては不都合である。これに対して、ボルト固定に際してはそういった不都合が生じない。
【００６２】
第１連結ブラケット５１の梁側板部５１ｂが通気用隙間３３内にて基礎３１と床大梁１３との間に挿入されているため、梁側板部５１ｂが床大梁１３及び基礎３１に挟まれるようにしてそれらと当接することで、床大梁１３の下方への撓みをより確実に抑制できる。特に、梁側板部５１ｂは制振装置２０の設置部分の下方に設けられているため、制振装置２０からの力による床大梁１３の下方への撓みを抑制するのに効果的な構成となっている。しかも、梁側板部５１ｂは通気用隙間３３において部分的に設けられているため、第１連結ブラケット５１の設置に伴って床下空間３２の通気が行われなくなるという不都合を回避できる。
【００６３】
第１連結ブラケット５１と同様に、第２連結ブラケット５２が床大梁１３及び基礎３１のそれぞれに対してボルト５８，６２により直接固定されているため、床大梁１３が基礎３１に対して相対的に上下方向や水平方向に撓むことについて抑制効果を高めることができる。さらに、第２連結ブラケット５２の梁側板部５２ｂは床大梁１３の下側フランジ４４ｂに対して上方から設けられているため、床大梁１３の上方への撓みを抑制する効果を高めることができる。しかも、例えば梁側板部５２ｂが上側フランジ４４ａに上から重ねられている構成とは異なり、梁側板部５２ｂによる上側フランジ４４ａへの押圧力により上側フランジ４４ａが下方に凹むことやウェブ４３が上下に潰れることを回避できる。
【００６４】
床大梁１３において梁内ブラケット４６が上側フランジ４４ａと下側フランジ４４ｂとの間に設けられているため、制振装置２０から床大梁１３に対して下向きの力が加えられたとしても、梁内ブラケット４６がフランジ４４ａ，４４ｂの両方に挟まれる状態でそれらと当接することにより、上側フランジ４４ａが局所的に下方に凹むことを回避できる。また、上側フランジ４４ａと下側フランジ４４ｂとは梁内ブラケット４６を介して連結されているため、制振装置２０から床大梁１３に対して上向きの力が加えられたとしても上側フランジ４４ａが局所的に上方に膨らむことを回避できる。
【００６５】
第１連結ブラケット５１の梁側板部５１ｂと第２連結ブラケット５２の梁側板部５２ｂが床大梁１３の下側フランジ４４ｂに加えて梁内ブラケット４６の下側の当接板部４７ｂを上下から挟み込んでいるため、梁内ブラケット４６を床大梁１３に対して強固に固定することができる。また、それら梁側板部５１ｂ，５２ｂ、下側フランジ４４ｂ及び当接板部４７ｂは１つのボルト５８により連結されているため、梁内ブラケット４６を床大梁１３に対して固定するための専用部材を用いる必要がなく、しかも連結ブラケット５１，５２や床大梁１３、梁内ブラケット４６の相互間の連結をまとめて行うことができる。したがって、コスト低減を図ることや作業工数の低減を図ることが可能となる。
【００６６】
基礎３１の起立部３８に対して第１連結ブラケット５１は屋外側に固定されており、第２連結ブラケット５２は床下空間３２側に固定されているため、床大梁１３が基礎３１の両側面に対して連結されていることになる。したがって、床大梁１３から連結ブラケット５１，５２を伝わる荷重を基礎３１において分散させることができる。すなわち、制振装置２０から床大梁１３に加えられる力が基礎３１の一部に集中することにより、連結ブラケット５１，５２や床大梁１３、基礎３１は基礎連結構造はより大きな荷重に耐えることが可能となる。
【００６７】
制振装置２０は床大梁１３に対してボルト固定されているため、既存のユニット式建物において壁材などを撤去して天井大梁１２、床大梁１３を露出させれば、リフォームなどに伴って制振装置２０を建物ユニット１０に対して取り付けることができる。
【００６８】
また、既存のユニット式建物のように、床大梁１３が基礎３１の起立部３８の上側に設置されている状態でも、水平方向に延びるボルト孔６１を起立部３８に形成するとともに、床大梁１３の下側フランジ４４ｂにボルト孔５７を形成することにより、連結ブラケット５１，５２を基礎３１及び床大梁１３に対してボルト固定することができる。この場合、基礎３１及び床大梁１３にボルト孔５７，６１を形成する作業や、第１連結ブラケット５１の梁側板部５１ｂを通気用隙間３３に挿入する作業、連結ブラケット５１，５２を基礎３１や床大梁１３に対してボルト固定する作業は比較的容易であると考えられる。したがって、ユニット式建物の完成後にリフォーム等を行う場合であっても後付けに際しての第１連結ブラケット５１や第２連結ブラケット５２の取り付け作業を容易なものとすることができる。
【００６９】
制振装置２０と床大梁１３との連結部分の下方に連結ブラケット５１，５２が設けられているため、制振装置２０が床大梁１３とともに基礎３１に対して相対的に揺れることを抑制できる。これにより、制振装置２０に基礎３１を基準とした制振効果を好適に発揮させることができる。
【００７０】
（他の実施形態）
本発明は上記実施形態の記載内容に限定されず、例えば次のように実施してもよい。
【００７１】
（１）第２連結ブラケット５２及び梁内ブラケット４６の各機能を両方とも有する連結部材により床大梁１３と基礎３１とが連結されていてもよい。例えば、図６に示すように、第２連結ブラケット５２及び梁内ブラケット４６に代えて連結部材としての連結ブラケット８１が設けられている構成とする。
【００７２】
連結ブラケット８１は、起立部３８の側面に対して当接してボルト固定されている側面板部８１ａと、床大梁１３の下側フランジ４４ｂの上面に対して当接してボルト固定されている梁側板部８１ｂと、床大梁１３の上側フランジ４４ａの下面に当接してボルト固定されている当接板部８４と、梁側板部８１ｂ及び当接板部８４の間に設けられている中間板部８５と、側面板部８１ａ及び梁側板部８１ｂを補強する補強板部８６とを有している。中間板部８５は梁側板部８１ｂ及び当接板部８４と直交する方向に延びており、所定間隔にて平行に複数設けられている。補強板部８６は中間板部８５と平行になっており、少なくとも１つの中間板部８５と連続的に形成されている。
【００７３】
上記構成によれば、連結ブラケット８１は、床大梁１３と基礎３１とを連結しつつ床大梁１３の上方への撓みを抑制する効果を高めるという第２連結ブラケット５２と同様の機能を有するとともに、床大梁１３の上側フランジ４４ａの上方や下方への変形を抑制するという梁内ブラケット４６と同様の機能を有している。また、連結ブラケット８１においては、補強板部８６により側面板部８１ａと梁側板部８１ｂとの角度の変化が抑制される。したがって、建物ユニット１０において床大梁１３を幅方向に揺らす振動が生じたとしても、側面板部８１ａに対して梁側板部８１ｂが相対的に板厚方向に曲がることが補強板部８６により抑制できる。つまり、床大梁１３が基礎３１に対して相対的に幅方向に揺れることを補強板部８６により抑制できる。
【００７４】
（２）第１連結ブラケット５１及び第２連結ブラケット５２の各機能を両方とも有する連結部材により床大梁１３と基礎３１とが連結されていてもよい。例えば、図７に示すように、第１連結ブラケット５１及び第２連結ブラケット５２に代えて連結部材としての連結ブラケット９１が設けられている構成とする。
【００７５】
連結ブラケット９１は、起立部３８における床下空間３２側の側面に対して当接してボルト固定されている側面板部９１ａと、床下空間３２側から通気用隙間３３に挿入され且つ床大梁１３の下側フランジ４４ｂの下面と当接している梁側板部９１ｂと、下側フランジ４４ｂの上面に対して当接してボルト固定されている上面板部９４とを有している。梁側板部９１ｂと上面板部９４とは平行になっており、それらの間には下側フランジ４４ｂ及び梁内ブラケット４６の下側の当接板部４７ｂとが設けられている。この場合、連結ブラケット９１は、梁側板部９１ｂと上面板部９４との間に下側フランジ４４ｂ及び当接板部４７ｂを位置合わせするようにして梁側板部９１ｂが通気用隙間３３に挿入されている。
【００７６】
上記構成によれば、連結ブラケット９１は、床大梁１３と基礎３１とを連結しつつ床大梁１３の下方への撓みを抑制するという第１連結ブラケット５１と同様の機能を有するとともに、床大梁１３と基礎３１とを連結しつつ床大梁１３の上方への撓みを抑制する効果を高めるという第２連結ブラケット５２と同様の機能を有している。
【００７７】
また、基礎３１に対する連結ブラケット９１の固定は、基礎３１に対して固定されたアンカーボルト９５に対してナット９６が螺着されることにより行われてもよい。例えば、起立部３８における床下空間３２側の側面から水平方向に延びるアンカーホール９７が形成されており、そのアンカーホール９７に対して打ち込みアンカーやケミカルアンカー等の固定方法によりアンカーボルト９５を固定する構成とする。ここで、アンカーホール９７は基礎３１における屋外側の側面に達していない。この場合、基礎３１における屋外側の側面には連結ブラケット９１はもちろんのことアンカーボルト９５やナット９６が露出していない。したがって、屋外側から見たユニット式建物の美観の低下を回避できる。
【００７８】
（３）連結ブラケット５１，５２は板部材ではなく長尺状部材などにより形成されていてもよい。
【００７９】
（４）第１連結ブラケット５１及び第２連結ブラケット５２は基礎３１の起立部３８の同一側面に対して固定されていてもよい。例えば、第１連結ブラケット５１の側面板部５１ａと第２連結ブラケット５２の側面板部５２ａとが重なった状態で起立部３８の一側面に対してボルト固定されている構成とする。
【００８０】
（５）連結ブラケット５１，５２は床大梁１３に対してボルト固定ではなく溶接固定されていてもよい。
【００８１】
（６）基礎３１の起立部３８の上方に設けられている床大梁１３は、溝形鋼の他に、Ｈ形鋼などの形鋼や、木材、角形鋼管といった横架材により形成されていればよい。つまり、ユニット式建物ではなく鉄骨軸組工法や枠組壁工法により構築された建物において、基礎３１と横架材とが連結ブラケット５１，５２により連結されている構成であればよい。
【００８２】
（７）連結ブラケット５１，５２は、制振装置２０の下方の他に、構造体としての柱の下方や、構造体としての壁の下方に設けられていてもよい。
【００８３】
（８）基礎３１と床大梁１３との間には通気用隙間３３が形成されていなくてもよい。この場合、第１連結ブラケット５１は、基礎３１の側面に対して固定されているとともに床大梁１３のウェブ４３に対して固定されていればよい。
【符号の説明】
【００８４】
１０…建物ユニット、１１…柱材としての柱、１２…天井梁材としての天井大梁、１３…横架材及び床梁材としての床大梁、２０…制振装置、３１…基礎、３３…通気用隙間、４４ａ…上側フランジ、４４ｂ…下側フランジ、４６…フランジ間部材としての梁内ブラケット、５１…第１連結部材としての第１連結ブラケット、５１ａ…第１基礎固定部としての側面板部、５１ｂ…第１横架材固定部としての梁側板部、５２…第２連結部材としての第２連結ブラケット、５２ａ…第２基礎固定部としての側面板部、５２ｂ…第２横架材固定部としての梁側板部、５７…ネジ孔としての第１連結ブラケットのボルト孔、５７…貫通孔としての第２連結ブラケット、床大梁の各ボルト孔、５８…ネジ部材としてのボルト、６１…貫通孔としてのボルト孔、６２…ネジ部材としてのボルト、８１…第２連結部材としての連結ブラケット、８１ａ…第２横架材固定部としての側面板部、８１ｂ…第２基礎固定部としての梁側板部、９１…第１連結部材としての連結ブラケット、９１ａ…第１横架材固定部としての側面板部、９１ｂ…第１基礎固定部としての梁側板部。
【図１】
2011047216.tif 000003
【図２】
2011047216.tif 000004
【図３】
2011047216.tif 000005
【図４】
2011047216.tif 000006
【図５】
2011047216.tif 000007
【図６】
2011047216.tif 000008
【図７】
2011047216.tif 000009